(57)【要約】【課題】外部からの磁界変化を動力源として使用することにて、可動玩具の中に動力源を持たなくても可動可能なミニチュア扇風機やミニチュア車椅子などのミニチュア可動玩具を実現する。【解決手段】可動玩具を実現するに際して、可動玩具の動力源となる回転磁界発生ユニットと、回転磁界反応ユニットに分けて可動玩具を構成させることにより、回転磁界反応ユニットの構造を、ミニチュア扇風機やミニチュア車椅子などのミニチュア可動玩具として作り込み可能にする。【選択図】図１
2019136051.tif 000002
【特許請求の範囲】
【請求項１】
回転軸の断面両端に異なる磁極を配置して回転軸を回転させることにより周囲に磁界の変動を発生させる回転磁界発生ユニットと、該回転磁界発生ユニットの回転軸か離れた空間に配置される回転磁界反応ユニットとで構成され、該回転磁界発生ユニットには回転軸の回転数を可変する手段が設けられ、該回転磁界反応ユニットは該回転磁界発生ユニットからの回転磁界の磁力変化を受けて可動する可動玩具。
【請求項２】
置台に磁界反応具を回転可能に配置し、その磁界反応具が回転する回転磁界反応ユニットを有する請求項１に記載の可動玩具。
【請求項３】
軸の一方に磁界反応具を設け、他の一方に回転翼を設けた扇風機玩具である回転磁界反応ユニットを有する請求項１に記載の可動玩具。
【請求項４】
車輪軸に磁界反応具を設けた車椅子である回転磁界反応ユニットを有する請求項１に記載の可動玩具。
【請求項５】
上より吊るした糸の先に磁界反応具をつないだ揺れ玩具である回転磁界反応ユニットを有する請求項１に記載の可動玩具。
【発明の詳細な説明】
【技術分野】
【０００１】
可動鑑賞する玩具と該玩具を動かす動力部とは別ユニットで構成する可動玩具。
【背景技術】
【０００２】
ジオラマやミニチュアドールハウスなどでは実世界の可動する製品を小さな静的製品として配置している。
例えば、ドールハウスに組み込む扇風機やカーテンなどを精巧なミニチュア製品を静的に配置しているに過ぎない。
小さな可動する物体としては、下記特許文献１や特許文献２などが散見されるが、これらは上記実世界の可動する製品をミニチュアにした製品とは異なるものである。
【０００３】
特許文献１（特開２００１−３２７７６８）には水中玩具において駆動部からの回転力を推進力を生むプロペラに伝達する際に、駆動部の回転軸とプロペラの回転軸との間に隔壁を設けて、磁石の磁気力で各々の回転軸を連結する事により駆動部を防水仕様で実現させる技術が開示されている。
【０００４】
特許文献２（実開平６−８１５９８）には玩具の駆動源を半球カバーで覆い、その半球カバーの中で磁石を配置した回転体を駆動源の力で回転させ、半球カバーの外に磁力吸収体を組み込んだ移動体を配置して、この移動体が半球カバーの中の回転体上の磁石に連動して移動体が自在に移動する技術が開示されている。
【先行技術文献】
【特許文献】
【０００５】
【特許文献１】特開２００１−３２７７６８
【特許文献２】実開平６−８１５９８
【発明の概要】
【発明が解決しようとする課題】
【０００６】
ジオラマやミニチュアのドールハウスなどでは実世界の可動する製品を小さなミニチュア製品として配置しているが、それらは単に精巧に縮尺寸法で静的な製品として製作しているのみで、何ら動く製品としては組み込まれていない。
例えば、ドールハウスに組み込む扇風機やカーテンなどを精巧なミニチュア製品が静的に配置しているに過ぎなく、現実空間の再現空間としても時間的に止まった空間を再現しているに過ぎなく、鑑賞する楽しみを満たすことが出来ない。
【課題を解決するための手段】
【０００７】
本願は可動玩具の構成を見直して、駆動部＋磁石で構成される駆動部ユニット（回転磁界発生ユニット）と可動玩具本体（回転磁界反応ユニット）とに分けて構成させ、空間の中に可動鑑賞する玩具を配置する場合、駆動部ユニット（回転磁界発生ユニット）を取り除いてシンプルな構造で可動鑑賞する玩具（回転磁界反応ユニット）を作り込むことで、駆動部ユニット（回転磁界発生ユニット）からの駆動エネルギーを磁力変化を受けながら電磁的な力の影響にて可動鑑賞する玩具（回転磁界反応ユニット）が可動するようにする。
このようにすることにより可動鑑賞する玩具（回転磁界反応ユニット）を構成する場合に部品数が低減できるのでミニチュアの可動玩具の提供が可能となる。
【０００８】
ここで回転磁界発生ユニットとはモータなどの駆動源を有する回転体に磁石を取り付けて、この駆動源の回転力にて周囲に回転磁界を発生させるユニットの事であり、回転磁界反応ユニットとは回転磁界発生ユニットからの回転磁界の変動に反応して動的に可動する可動反応具を有して可動する可動鑑賞する玩具を示している。
なお、可動反応具は回転磁界発生ユニットからの回転磁界に反応する回転磁界反応ユニット内に組み込まれ、回転磁界に反応して回転するように組み込まれた磁石もしくは金属などがそれに当たる。
【０００９】
その回転磁界反応ユニットの構造は、前記可動反応具をどのような可動玩具の中で組み込むかによって、色々な回転玩具、そして扇風機や車椅子や揺れ玩具などを鑑賞可能な玩具として回転磁界反応ユニットを作り込むことが可能となる。
【発明の効果】
【００１０】
本願発明にて、何気なく配置される本来可動するべき可動玩具の商品において駆動源を内部に有さなくても可動鑑賞できる玩具を提供することが出来、その商品は駆動源を内部に持たないので小型で構成させることが可能となる。
それによって、ジオラマやドールハウスの中に可動パーツとしてミニチュアの動く扇風機などを配置して、駆動部の存在を見えない場所に配置して稼動する多様な玩具が提供可能となり、今までの静的な展示物を動的に提供可能となるので、玩具の世界に新たな動的な鑑賞を楽しませる空間の提供が可能となる効果を生み出すことが出来る。
【図面の簡単な説明】
【００１１】
【図１】図１は回転磁界発生ユニットと回転磁界反応ユニットの関係図
【図２】図２は回転磁界発生ユニットと回転磁界反応ユニット間での説明図
【図３】図３は回転磁界発生ユニットの回路図
【図４】図４は回転磁界発生ユニットのブロック図とモータ駆動のグラフ
【図５】図５は他の玩具として円柱磁石使用扇風機の図
【図６】図６は他の玩具として棒磁石使用扇風機の図
【図７】図７は他の玩具として揺れ玉の図
【図８】図８は他の玩具として車椅子の図
【図９】図９は磁石１と磁石２を横に配置した場合の回転方向を説明する図
【図１０】図１０は磁石１と磁石２を縦に配置した場合の回転方向を説明する図
【図１１】図１１は図９の回転状況の揺らぎを説明する図
【図１２】図１２は磁石１に対し磁石２を横斜め上に配置した場合の説明図
【発明を実施するための形態】
【００１２】
可動玩具を動力源を有する回転磁界発生ユニットと、磁界反応具を有する回転磁界反応ユニットに分けて磁界反応ユニットの構造を簡単にして可動玩具を実現した。
【実施例】
【００１３】
以下、本発明の実施形態を図面に基づいて説明する。なお、本発明は以下の実施例の形態に限定させるものではない。
図１は本願発明の可動玩具（１）を示した図であって、図の右には回転磁界発生ユニット（２）を図の左には回転磁界発生ユニット（２）からの回転磁界の変化に反応して動く回転磁界反応ユニット（３）の一例を示しています。
図１において回転磁界発生ユニット（２）の中にはモータ（５）と、そのモータ（５）の回転軸に配置されモータ（５）で回転する磁石１（８）が設けられており、このモータ（５）は電池（４）を電源として電源スイッチ（７）がＯＮになると駆動回路部（１６）の指示に基づいて駆動するように電気配線されている。また駆動回路部（１６）の回路には回転数可変ボリューム（６）が配線されており、モータ（５）の回転数はこの回転数可変ボリューム（６）の設定位置に応じて任意の回転数に可変可能になっている。
ここで、磁石１（８）の磁極はモータ（５）の回転軸を中心に左右にＮ極とＳ極が対極するように配置して設けられることにより、回転磁界発生ユニット（２）の周囲にはモータ（５）が回転すると、その回転に同期して磁石１（８）も回転するので周囲の磁界も連動して変化するようになる。
【００１４】
この回転磁界発生ユニット（２）の横に配置している図１での回転磁界反応ユニット（３）の構造は台（９）の中心に軸棒が立っており、その軸棒に跨って回転可能に設けられた磁石２（１０）が乗せられ、左右に伸びた横棒の先に各々可動子（１１）が設けられている構造で示している。そして磁石２（１０）も軸棒中心線を境に左右にＮ極とＳ極が対局する磁極になるように配置しておくことで、先に説明した回転磁界発生ユニット（２）のモータ（５）の回転により磁石１（８）が回転する時の磁界の変化に反応して磁石２（１０）も回転するので、その磁石２（１０）は磁界反応具として作用し、その先に設けている可動子（１１）は置台（９）の中心に立っている軸棒を中心として可動する。
この場合の可動子（１１）には動物などの形状で構成すると、子供が見て楽しめる可動鑑賞する玩具として提供可能になる。そして回転磁界発生ユニット（２）を図では示していないが磁力を通す壁の向こう側に隠して配置すると、可動子（１１）が動く理由が理解できないので面白さが倍増する可動玩具となる。
【００１５】
図２は図１の回転磁界発生ユニット（２）のモータ（５）と磁石１（８）と回転磁界反応ユニット（３）の台（９）の中央に回転可能に配置された磁石２（１０）のみを距離（Ｌ）を保持して配置している様子を示した図である。
図２では磁石１（８）がαからβの方向に回転すると、磁石２（１０）はβからαの方向に回転し、磁石１（８）がβからαの方向に回転すると磁石２（１０）はαからβの方向に回転することを示している。その理由は磁石１（８）が回転すると、その周囲に回転磁界の変化が生まれ、その変化に連動して磁石２（１０）が磁石１（８）の動きに噛み合うように動かされることによる。
図２では共に上下方向が回転軸となるように配置しているが、例えば回転磁界発生ユニット（２）のモータ（５）と磁石１（８）の回転軸の方向を傾けても、磁界の影響力は変わるものの回転磁界反応ユニット（３）の磁石２（１０）にも何らかの磁界の変化は現れるので磁石（２）は、その変化に応じて回転するものである。この動きは後の図９でさらに詳しく説明をする。
【００１６】
当然回転磁界発生ユニット（２）と回転磁界反応ユニット（３）との距離（Ｌ）が大きくなると磁界の変化は弱まるし、距離（Ｌ）が小さくなると磁界の変化は強まる。また磁石１（８）や磁石２（１０）の磁力の強さも関係し、磁力の強い磁石を用いると、その影響力は強まる。また図では示していませんが、磁石１（８）や磁石２（１０）の片方が磁石で構成されずに電流が流れる金属で構成された場合でも、フレーミングの法則に基づいて磁場内では電流が流れる導体に力が発生するので、磁場に変化が発生する空間に電流が流れる導体が存在すれば電流が流れ、その電流の流れに導かれて力が発生するので、その力が回転力の方向に作用すれば同様の動きを生じさせる結果となる。
ここで、本願発明を確認する試作としては、回転磁界発生ユニット（２）に組み込まれている磁石１（８）は直径１５ｍｍ長さ１０ｍｍの円柱形で６５０ｍＴ（ミニテスラ）の磁力を有する磁石を用い、回転磁界反応ユニット（３）に組み込まれる磁石２（１０）は直径５ｍｍ長さ７ｍｍの円柱形で５００ｍＴ（ミニテスラ）の磁力を用いた。この場合、回転磁界発生ユニット（２）の磁石１（８）と、回転磁界反応ユニット（３）の磁石２（１０）との距離（Ｌ）が１２ｃｍ離れてもモータ（５）の回転によって可動子（１１）が動くことを確認した。
【００１７】
図３は図1に示した回転磁界発生ユニット（２）の中の駆動制御部（１６）を中心として周囲の部品の働きを示した回路図である。
図３の中央に記載している四角い枠は電子工作用に販売されているＡＲＤＵＩＮＯ−ＭＩＮＩのボードであって、ボードにはマイコンとＰＷＭ波形でモータ（５）を駆動するトランジスターも搭載されている。マイコンが搭載されているＡＲＤＵＩＮＯ−ＭＩＮＩには入力端子ともあり、入力端子には回転数可変ボリューム（６）が接続され、回転磁界発生ユニット（２）の中に格納されている電池（４）と電源スイッチ（７）を経由して電源を確保してマイコンに書き込まれているプログラムによってモータ（５）を駆動するような回路構成となっている。
【００１８】
図４はこの回転磁界発生ユニット（２）の内容をブロック図（４−１）とボリュームのパルス幅変調（ＰＷＭ）のグラフ（４−２）である。
（４−１）にてモータ（５）は回転数可変ボリューム（６）が示す値によって、電源の０Ｖから３Ｖの値としてマイコンの入力端子に入力され、マイコンは内部プログラムの記述に基づきパルス幅変調（ＰＷＭ）の値として０％から１００％のパルスを出力バッファであるトランジスターをＯＮ／ＯＦＦして制御することでモータ（５）の駆動回転数を変化させることが可能となる。
このようにモータ（５）を回転数可変ボリューム（６）で制御することにより、回転磁界発生ユニット（２）からの磁界変化量を制御することを実現している。
試作ではパスル幅変調の基準周波数を１ＫＨｚにして変調をかけて回転数可変ボリューム（６）にて０％から１００％に可変可能にしている。
【００１９】
図５から図８は図1で示した回転磁界反応ユニット（３）を別な形状の玩具で示したものである。
図５と図６は共に駆動部を持たない扇風機の外観図を示しており、図５の（５−１）では置台（９）に柱を付けて、その上に横向きに回転軸を設けて、回転軸の先に扇風機の羽として機能する可動子（１１）、他の先に磁石２（１０）を配置した構成を示している。そして磁石２（１０）のＡ−Ａ’断面は図５の（５−２）に示すように回転軸に対して左右にＮ極とＳ極が対極して配置するように磁石２（１０）を設けることを説明している。この磁石２（１０）が磁界反応具として機能する。このような構成にする事により、図５の扇風機である回転磁界反応ユニット（３）は図１の回転磁界反応ユニット（３）と同様に、この扇風機の近傍に配置するであろう図１の回転磁界発生ユニット（２）の磁界変化を受けて扇風機を回転可能に機能することが可能となる。図５の扇風機はこのように駆動部をその中に持たないので簡単な構成で稼働する扇風機を玩具として提供可能となるので、小型のミニチュア扇風機としてドールハウスの中に動く家具として配置する事が可能となる。
【００２０】
図６は図５の扇風機に用いる磁石２（１０）つまり磁界反応具を横長の磁石で構成させた実施例であり、図６の（６−１）における置台（９）上の柱に付けた横向きの回転軸において、回転軸の先に扇風機の羽として機能する可動子（１１）、他の先に磁石２（１０）を配置した構成において、磁石２（１０）の異なる配置を示している。（６−１）での磁石２（１０）のＡ−Ａ’断面は図６の（６−２）に示すように回転軸に対して左右にＮ極とＳ極が対極して配置するように磁石２（１０）を設けることを説明している。このような構成にする事により、図６の扇風機は図５の扇風機と同様に図１の回転磁界反応ユニット（３）と同様に、この扇風機の近傍に配置するであろう図１の回転磁界発生ユニット（２）の磁界変化を受けて扇風機を回転可能に機能することが可能となる。図６の扇風機においても駆動部をその中に持たないので簡単な構成で稼働する扇風機を玩具として提供可能となるので、小型のミニチュア扇風機としてドールハウスの中に動く家具として配置する事が可能となる。
【００２１】
図７は回転磁界反応ユニット（３）の一例として揺れ玉玩具の構造を示した図であります。
図７の（７−１）は揺れ玉玩具を回転磁界反応ユニット（３）としている例である。
（７−１）では置台（９）の端より釣り竿（１２）を伸ばして、その先端より糸（１３）を垂らし球形の可動子（１１）を付けた揺れ玉玩具を示している。この球形の可動子（１１）は目玉を意識して一部に円形の図柄を設けると球形の可動子（１１）の動きがよくわかるので良い。この球形の可動子（１１）の中をＡ−Ａ’で切断したのが図７の（７−２）に示したものであり、中には磁石２（１０）である磁界反応具が組込まれＮ極とＳ極が対極して配置した様子を示している。このような球形の可動子（１１）であれば、図１に示す回転磁界発生ユニット（２）を近傍に配置して磁界の変化を生じさせれば、この揺れ玉玩具の球形の可動子（１１）はその磁界の変化に応じて揺れ動くので揺れ玉玩具の中に駆動部を持たなくても容易に楽しむことが出来る。
【００２２】
図８は回転磁界反応ユニット（３）の一例として車椅子玩具の構造を示した図であります。
図８の（８−１）は車椅子玩具を回転磁界反応ユニット（３）としている例である。
（８−１）では車椅子（１４）の椅子の両脇に車（１５）を設け、それらを繋ぐ車の回転軸に磁石２（１０）である磁界反応具を配置することで、車椅子をαからβ、またはβからαの前後方向に周囲の磁界の変化に応じて車椅子を動かすことが可能となる。
この車（１５）と磁石２（１０）の関係は図８の（８−２）に詳しく示しており、さらに（８−２）のＡ−Ａ’の断面を図８の（８−３）に示すように磁極Ｎと磁極Ｓを車の回転軸を境に対極して設ける事により上記説明のように車椅子をαからβ、またはβからαの前後方向に周囲の磁界の変化に応じて車椅子を動かすことが可能となる。
つまり、図８の車椅子には駆動部を設けていないのでミニチュア乗り物玩具として小型車椅子を実現可能であり、この車椅子に小さな人形を座らせば、それもまた楽しい玩具としてドールハウスの中に組み込むことが可能となる。
【００２３】
図９は磁石１に対し磁石２を横に配置した場合の回転方向を説明する図であります。
図９では図１や図２で説明した磁石１（８）と磁石２（１０）を横に並べて配置して上から見た場合で説明をしており、磁石１（８）を反時計方向（左回り）に回転させると磁石２（１０）は時計方向（右回り）に回転する様子を（９−１）から（９−８）にて説明しています。
順を追って説明をすると、（９−１）では磁石（８）１は右にＮ極左にＳ極の状態にある場合、磁石２（１０）は磁石１（８）のＳ極に吸引されるようにＮ極が右にＳ極が左に配置された状態を示し、磁石１（８）を反時計方向（左回り）に４５度回転すると磁石２（１０）は時計方向（右回り）に４５度回転する様子を（９−２）で示し、さらに磁石１（８）を反時計方向（左回り）に４５度回転すると磁石２（１０）は時計方向（右回り）に４５度回転する様子を（９−３）で示し、さらに磁石１（８）を反時計方向（左回り）に４５度回転すると磁石２（１０）は時計方向（右回り）に４５度回転する様子を（９−４）で示し、さらに磁石１（８）を反時計方向（左回り）に４５度回転すると磁石２（１０）は時計方向（右回り）に４５度回転する様子を（９−５）で示し、さらに磁石１（８）を反時計方向（左回り）に４５度回転すると磁石２（１０）は時計方向（右回り）に４５度回転する様子を（９−６）で示し、さらに磁石１（８）を反時計方向（左回り）に４５度回転すると磁石２（１０）は時計方向（右回り）に４５度回転する様子を（９−７）で示し、さらに磁石１（８）を反時計方向（左回り）に４５度回転すると磁石２（１０）は時計方向（右回り）に４５度回転する様子を（９−８）で示しています。このように、磁石１（８）と磁石２（１０）は歯車がかみ合うようにお互いの磁極が引き合って逆方向に回転致します。
もし、磁石１（８）が時計方向（右回り）に回転した場合には磁石２（１０）は反時計方向（左回り）に回転することは容易に理解できるところです。
【００２４】
これに対して、磁石１（８）の回転軸上に磁石２（１０）を配置した場合の状況を図１０で示しています。
図１０は磁石１（８）に対し磁石２（１０）を縦に配置した場合の回転方向を説明する図であります。
（１０−１）はモータ（５）に連結された磁石１（８）の回転軸上に配置された磁石２（１０）を示しており、磁石２（１０）は上から回転可能に配置（磁石２（１０）の支持部は図では省略）されたようすを示している。以下の（１０−２）〜（１０−８）も同様である。
（１０−１）での磁石１（８）では手前に磁極のＮ極、奥に磁極のＳ極が配置され、この磁極に吸引される結果磁石２（１０）では手前に磁極のＳ極、奥に磁極のＮ極が配置されている状態を示している。この状態の中でモータ（５）の回転力で磁石１（８）が反時計方向（左回り）に４５度回転した場合の磁石２（１０）の位置を（１０−２）で示しており、さらにモータ（５）の回転力で磁石１（８）が反時計方向（左回り）に４５度回転した場合の磁石２（１０）の位置を（１０−３）で示しており、さらにモータ（５）の回転力で磁石１（８）が反時計方向（左回り）に４５度回転した場合の磁石２（１０）の位置を（１０−４）で示しており、さらにモータ（５）の回転力で磁石１（８）が反時計方向（左回り）に４５度回転した場合の磁石２（１０）の位置を（１０−５）で示しており、さらにモータ（５）の回転力で磁石１（８）が反時計方向（左回り）に４５度回転した場合の磁石２（１０）の位置を（１０−６）で示しており、さらにモータ（５）の回転力で磁石１（８）が反時計方向（左回り）に４５度回転した場合の磁石２（１０）の位置を（１０−７）で示しており、さらにモータ（５）の回転力で磁石１（８）が反時計方向（左回り）に４５度回転した場合の磁石２（１０）の位置を（１０−８）で示しています。このように磁石１（８）の回転に合わして磁石２（１０）の回転は磁石１（８）が反時計方向（左回り）に回転すると磁石２（１０）も同じく同じ回転方向である反時計方向（左回り）となり同回転方向に記転することを示しています。もし、磁石１（８）が時計方向（右回り）に回転した場合には磁石２（１０）も時計方向（右回り）に回転することは容易に理解できるところです。
【００２５】
図１１は図９の回転状況の揺らぎを説明する図であります。
（１１−１）は図９にて上から見た磁石１（８）は０度の位置を示し、さらに→９０度→１８０度→２７０度→３６０度（０度の位置）での回転位置を示し、横にそれに対応した磁石２（１０）の０度（３６０度）の位置を示し、こちらも２７０度→１８０度→９０度→０度の回転位置を示しており、これら磁石１（８）が回転する場合に磁石２（１０）が連動して回転する回転角度の回転状況を測定した結果が（１１−２）であります。この図にて磁石１（８）の角度を０度から３６０度に等速で回転させた場合、磁石２（１０）は図９でも説明したように逆方向に連動して回転しますので、理論上は（１１−２）のグラフで示す磁石１角度０度→３６０度に向けて磁石２角度３６０度→０度に移行する右下がりの直線の角度変異で回転するものであるが、現実は９０度毎に山谷の波型で推移する回転揺らぎが磁石２に現れることを（１１−２）で示している。その理由は磁石１および磁石２の断面が半円形であることから、回転角度に対して一律に磁界の吸引力が生まれないことによる。
【００２６】
また、図９に関連して図２の距離Ｌと回転との関係で調べると、直径１５ｍｍ長さ１０ｍｍの円柱形で６５０ｍＴ（ミニテスラ）の磁石１（８）と、直径５ｍｍ長さ７ｍｍの円柱形で５００ｍＴ（ミニテスラ）の磁石２（１０）において、磁石１（８）を１０ｒｐｍおよび１００ｒｐｍで回転させて実験をした場合、距離Ｌが１４ｃｍまでは回転軸の摩擦の関係でフラッターが微妙に確認できるが問題なく磁石２（１０）も１０ｒｐｍおよび１００ｒｐｍで回転（各磁石の配置は横のため逆回転）するが、距離Ｌが１５ｃｍになるとフラッタがやや大きくなり１８ｃｍになると回転しなくなる。距離Ｌが１６ｃｍから１７ｃｍにおいては地磁気など周囲の磁気環境の差で微妙に影響度は異なるようであった。
さらに、磁石２（１０）の位置を磁石１（８）の真横ではなく横斜め上に配置して高低差を図１２のようにＬ２高めても実験を試みた。この場合はその高低差によってフラッタは大きくなり回転が不安定になることを確認した。
以上から、磁石１（８）と磁石２（１０）との間の距離が１４ｃｍ以内であって真横に配置した場合では何らく磁石１（８）の回転が磁石２（１０）に伝達できることが実験で明らかである。
【００２７】
この動作結果も踏まえて回転磁界発生ユニット（２）と回転磁界反応ユニット（３）の配置をこうりょすれば、回転磁界反応ユニット（３）は色々形を変えて色々な動く玩具として作り込むことが可能となるので、小さなミニチュア車両として作り込むとジオラマの中に動くパーツを自由に作り込むことが可能となる。
ここで図１の回転磁界発生ユニット（２）はジオラマの中では町の建物の中とか山の中などに隠して配置する事で、さらなる動くパーツ（回転磁界反応ユニット（３））をさらに面白く動かすことが可能となる。
【産業上の利用可能性】
【００２８】
以上説明したように、本可動玩具は駆動部を回転磁界発生ユニットに設けて、回転磁界反応ユニットには駆動部を設けないので回転磁界反応ユニットをシンプルに構成することが出来るので小型化が容易になるので有用である。
【符号の説明】
【００２９】
１  可動玩具
２  回転磁界発生ユニット
３  回転磁界反応ユニット
４  電池
５  モータ
６  回転数可変ボリューム
７  電源スイッチ
８  磁石１
９  置台
１０  磁石２
１１  可動子
１２  釣り竿
１３  糸
１４  車椅子
１５  車
１６  駆動回路部
【図１】
2019136051.tif 000003
【図２】
2019136051.tif 000004
【図３】
2019136051.tif 000005
【図４】
2019136051.tif 000006
【図５】
2019136051.tif 000007
【図６】
2019136051.tif 000008
【図７】
2019136051.tif 000009
【図８】
2019136051.tif 000010
【図９】
2019136051.tif 000011
【図１０】
2019136051.tif 000012
【図１１】
2019136051.tif 000013
【図１２】
2019136051.tif 000014